(57)【要約】      （修正有）【課題】モーションディテクターに関し、具体的には、モーションディテクターを起動するための方法と装置に関する。更に具体的には、本発明は、作動中のモーションディテクターが存在するかどうかを決定するためにモーションディテクターを起動するための方法と装置に関する。【解決手段】電磁信号がビームの形態で送信される。ビームは、モーションディテクターに遭遇すると、このモーションディテクターを起動する。モーションディテクターが存在する位置にビームを向けることにより、移動モーションディテクターが起動される。【選択図】なし【特許請求の範囲】
【請求項１】
ビームの形態で電磁信号を送信する送信機システムと、
ビームがモーションディテクターに遭遇すると当該モーションディテクターが起動されるように、送信機システムにビームを送信させるコントローラと
を備える装置。
【請求項２】
ビームがモーションディテクターに遭遇すると当該モーションディテクターが起動されるように、送信機システムにビームを送信させるとき、コントローラが、モーションディテクターの複数の電装品を結合するように構成された複数のビーム周波数を選択して、当該複数の周波数を有するビームを送信することにより、モーションディテクターがビームに遭遇したときに当該モーションディテクターが起動されるのと同じ方式で、ビームがモーションディテクターの複数の電装品に結合する、請求項１に記載の装置。
【請求項３】
モーションディテクターが受動的モーションディテクターである、請求項１に記載の装置。
【請求項４】
送信機システムが、
電磁信号を生成する信号生成器と、
ビームの形態で電磁信号を送信するアンテナシステムと
を備えている、請求項１に記載の装置。
【請求項５】
信号生成器が、
約７５ＧＨｚ〜約１１０ＧＨｚの波長の無線周波数信号の形態で電磁信号を生成する無線周波数生成器
を含む、請求項４に記載の装置。
【請求項６】
アンテナシステムがガウス光アンテナを含む、請求項４に記載の装置。
【請求項７】
ビームが無線周波数ビームである、請求項１に記載の装置。
【請求項８】
ビームが略平行無線周波数ビームである、請求項１に記載の装置。
【請求項９】
モーションディテクターの起動方法であって、
ビームの形態で電磁信号を送信することであって、当該ビームがモーションディテクターに遭遇すると当該モーションディテクターを起動させることと、
モーションディテクターが起動するように、当該モーションディテクターが存在する位置へビームを向けることと
を含む方法。
【請求項１０】
他の複数の位置へビームを向けることであって、ビームが他の複数のモーションディテクターに遭遇すると、他の複数の位置における複数の他のモーションディテクターが起動されること
を更に含む、請求項９に記載の方法。
【発明の詳細な説明】
【技術分野】
【０００１】
本発明は、概してモーションディテクターに関し、具体的には、モーションディテクターを起動するための方法と装置に関する。更に具体的には、本発明は、作動中のモーションディテクターが存在するかどうかを決定するためにモーションディテクターを起動するための方法と装置に関する。
【背景技術】
【０００２】
モーションディテクターは、運動を定量化するメカニズムを包含する装置である。例えば、モーションディテクターは、運動の探知を電気信号に変換する。
【０００３】
この種のモーションディテクターは、通常、当該モーションディテクター周辺の領域内の光学的変化、熱的変化、又は音響的変化を測定する。モーションティテクターが運動の探知を行なう領域は、視野とも呼ばれる。多くのモーションディテクターは、約５０〜約８０フィートの距離で運動を探知することができる。
【０００４】
モーションディテクターは、デバイスの動作を制御するために使用することができる。例えば、モーションディテクターは、デバイスの動作を開始させること、装置の動作を停止させること、又は装置の動作方式を変更することができる。
【０００５】
モーションディテクターは、複数の異なる使用法を有している。例えば、モーションディテクターは、自動ドアを開けるために建造物において使用される。別の例として、モーションディテクターは、照明を点灯させるため、エスカレータを起動するため、スプリンクラーを止めるため、及びその他の適切な動作を行うために使用することができる。
【０００６】
加えて、モーションディテクターは、種々の領域内における人の存在を組織に警告するためにも使用される。例えば、モーションディテクターは、特定の場所への不正入場者の存在を探知するために、セキュリティシステムにおいて使用することができる。
【０００７】
モーションディテクターは有用であるが、このような種類のシステムはメンテナンスを必要とする。例えば、モーションディテクターが故障により所望される機能を果たさない場合、このモーションディテクターによって制御されることが望ましい特定のシステムは所望の動作をしない可能性がある。このような状況では、モーションディテクターを整備するか、又は取り換える。
【０００８】
例えば、照明を制御するために使用されるモーションディテクターが所望される機能を果たさない場合、照明が思い通りに点灯又は消灯しない可能性がある。別の例として、モーションディテクターが適切に作動しない場合、モーションディテクターによってドアが開く建造物に入る際、速度を落とすか、又は停止しなければならない場合がある。このような場合、モーションディテクターは動作しているが、それは望ましい動作でない。このモーションディテクターは、人が速度を落とす又は停止することを回避するのに十分にドアの手前で人を探知しない。このような状況では、モーションディテクターは整備又は交換を必要としうる。整備により、モーションディテクターの感度に変化が生じうる。
【０００９】
したがって、上述の問題のうちの一つ又は複数と、場合によっては他の問題を考慮する方法及び装置があれば、有利である。
【発明の概要】
【発明が解決しようとする課題】
【００１０】
有利な一実施形態では、装置は、送信機システム及びコントローラを備えている。送信機システムは、ビーム形態で電磁信号を送信する。コントローラは、送信機システムにビーム送信を行なわせ、ビームがモーションディテクターに遭遇するとモーションディテクターが起動される。
【００１１】
別の有利な実施形態では、モーションディテクターを起動する方法が提供される。電磁信号がビームの形態で送信される。このビームは、モーションディテクターに遭遇すると、当該モーションディテクターを起動する。モーションディテクターが存在する位置にビームを移動させることにより、モーションディテクターが起動される。
【００１２】
これらの特徴、機能、及び利点は、本発明の種々の実施形態において単独で達成することができるか、又はまた別の実施形態において組み合わせることができる。それらの更なる詳細は、後述の説明及び添付図面に見ることができる。
【００１３】
有利な実施形態の新規機構と考えられる特徴は、請求の範囲に規定される。しかしながら、有利な実施形態と、それらの好ましい使用モード、更なる目的及び利点は、本発明の有利な実施形態の後述の詳細な説明を、添付図面と併せて参照することにより最もよく理解されるであろう。
【図面の簡単な説明】
【００１４】
【図１】図１は有利な一実施形態によるモーションディテクター環境を示している。
【図２】図２は有利な一実施形態によるモーションディテクター環境を示している。
【図３】図３は有利な一実施形態による起動システムを示している。
【図４】図４は有利な一実施形態によるモーションディテクターの起動方法のフロー図である。
【発明を実施するための形態】
【００１５】
種々の有利な実施形態は、複数の異なる検討事項を認識し、考慮している。例えば、種々の有利な実施形態は、メンテナンスの際には大抵、モーションディテクターが所望どおりに動作しているかどうかを決定することが望ましいことを認識し、考慮している。即ち、モーションディテクターが所望の環境において起動されるかどうかを決定するために、当該モーションディテクターを試験することができる。例えば、モーションディテクターは、起動されるかどうか、所定の距離内において起動されるかどうか、特定の視野内において起動されるかどうか、及びモーションディテクターが起動される他の適切な状況において起動されるかどうかを決定するために試験されうる。
【００１６】
モーションディテクターを試験することができる一つの方式では、職員が各モーションディテクターを試験する。この種の試験では、担当者がモーションディテクターの存在する各領域に立ち入ることになる。担当者が当該領域に立ち入るとき、モーションディテクターによって作動されるデバイスが、当該担当者の運動に応じて起動されるかどうかが決定される。このような決定は、デバイスが作動するかどうかを見ることにより行うことができる。それらは例えば、照明が点灯する、パネルが運動の存在を示す、又は他の何らかの適切な動作である。
【００１７】
種々の有利な実施形態は、とはいえモーションディテクターのこの種の試験には長時間を要することを認識し、考慮している。試験の実行には、担当者がモーションディテクターの存在する各領域に立ち入ることが必要である。
【００１８】
このように、有利な実施形態は、モーションディテクターを起動するための方法と装置を提供する。このような起動は、モーションディテクターに接続されたデバイスを動作させるために使用される。このようにして、種々の有利な実施形態のうちの一つ又は複数は、モーションディテクターが動作しているかどうかを決定するために使用することができる。
【００１９】
有利な一実施形態では、装置は送信機システムとコントローラとを備える。送信機システムは、ビーム形態の電磁信号を送信する。コントローラが送信機システムにビームを送信させることにより、モーションディテクターがビームに遭遇すると、当該モーションディテクターが起動される。
【実施例】
【００２０】
図１には、有利な一実施形態によるモーションディテクター環境が示されている。この実施例では、モーションディテクター環境１００は、モーションディテクター１０２とデバイス１０４とを含んでいる。この実施例では、デバイス１０４は動力付きゲート１０６の形態を採っている。モーションディテクター１０２は、動力付きゲート１０６に接続されて、選択された距離１０８内及びモーションディテクター１０２の視野内に目標物が探知されると動力付きゲート１０６を動かす。
【００２１】
起動システム１１２は、位置１１４にモーションディテクター１０２の存在を探知するため、又は位置１１４におけるモーションディテクター１０２の動作を試験するために使用することができる。この実施例では、起動システム１１２は、送信機１１８を有する車両１１６を備えている。
【００２２】
送信機１１８は、ビーム１２２の形態の電磁信号１２０を送信する。このような実施例では、ビーム１２２は平行ビームである。ビーム１２２の端部１２４がモーションディテクター１０２の位置１１４に到達すると、モーションディテクター１０２は起動されて動力付きゲート１０６を動かす。このようにして、車両１１６のオペレータは、モーションディテクター１０２による探査位置に車両１１６を進入させる必要なくモーションディテクター１０２及び動力付きゲート１０６の作動を試験することができる。
【００２３】
このようにして、車両１１６のオペレータは、他の動力付きゲート、セキュリティシステム、及び／又は他のデバイスといった他のデバイスのために、視野１１０内の適切な位置へ車両１１６を移動させるより迅速に、種々のモーションディテクターを試験することができる。更に、幾つかの事例では、モーションディテクターの試験を行うには、オペレータが車両１１６を離れて所望の位置に進入する必要が生じうる。
【００２４】
図２には、有利な一実施形態によるモーションディテクター環境が示されている。図１のモーションディテクター環境１００は、図２のモーションディテクター環境２００の一実施例である。モーションディテクター環境２００は、複数の位置２０４に複数のモーションディテクター２０２を含んでいる。複数のモーションディテクター２０２は、複数のデバイス２０６に接続されている。
【００２５】
本明細書において、第１の構成部品が第２の構成部品に接続されるとき、第１の構成部品は、別の構成部品を必要とせずに第２の構成部品に接続することができる。第１の構成部品は、一つ又は複数の他の構成部品によって第２の構成部品に接続することもできる。例えば、一つの電子デバイスを別の電子デバイスに、間に追加の電子デバイスを必要とすることなく接続することができる。場合によっては、互いに接続されたこれら二つの電子デバイスの間に、別の電子デバイスが存在してもよい。
【００２６】
このような実施例では、起動システム２０８を使用して、複数の位置２０４において複数のモーションディテクター２０２が動作しているかどうかを決定することができる。更に、起動システム２０８を使用して、複数の位置２０４における複数のモーションディテクター２０２の存在を探知することができる。
【００２７】
例えば、複数の位置２０４における複数のモーションディテクター２０２の存在は、複数のモーションディテクター２０２に接続された複数のデバイス２０６が作動を開始するとき、作動を終了するとき、及び／又は複数のデバイス２０６の作動方式を変更するときを探知することができる。
【００２８】
この実施例では、起動システム２０８は、送信機システム２１０とコントローラ２１２とを備えている。送信機システム２１０は、任意の数のモーションディテクター２０２を起動する方式で電磁信号２１４を送信する。任意の数のモーションディテクター２０２が起動しない場合、これらのモーションディテクターは作動不能か、或いは所望どおり又は予想どおりに機能していない可能性がある。
【００２９】
このような実施例では、送信機システム２１０は、ビーム２１６の形態の電磁信号２１４を送信する。特に、このような実施例では、ビーム２１６は略平行ビーム２１８である。略平行ビームとは、送信機から伝播するとき、実質的に回折が制限されるビームで電磁信号２１４が伝播することである。即ち、略平行ビームの伝播方向に沿った直径又は断面はほぼ同じである。電磁信号２１４のこのような伝播は、多方向に放射される電磁信号２１４の放射とは対照的である。
【００３０】
電磁信号２１４は、周波数２２０とパワーレベル２２２とを有している。このような実施例では、ビーム２１６は領域２２４に沿って移動することができ、領域２２４は複数の位置２０４を含んでいる。領域２２４内の複数のモーションディテクター２０２について複数の位置２０４が既知である場合、複数の位置２０４の各々にビーム２１６を向けることにより、複数のモーションディテクター２０２を試験することができる。
【００３１】
複数のモーションディテクター２０２の一部又は全部について複数の位置２０４が不明である場合、ビーム２１６を移動させて領域２２４を網羅することができる。このようにして、複数のモーションディテクター２０２の存在を探知することができる。更に、複数のモーションディテクター２０２に関する複数の位置２０４は、領域２２４内のビーム２１６の終了位置２２５を特定することによって探知することもできる。
【００３２】
このような実施例では、一つのモーションディテクター、例えば複数の位置２０４における複数のモーションディテクター２０２のうちのモーションディテクター２２６が、ビーム２１６の終了位置２２５に遭遇したときに起動されるように、ビーム２１６形態の電磁信号２１４の周波数２２０及びパワーレベル２２２のうちの少なくとも一つを選択することができる。このような実施例では、モーションディテクター２２６は、複数の電装品２３０を含んでいる。
【００３３】
周波数２２０及びパワーレベル２２２のうちの少なくとも一つは、ビーム２１６形態の電磁信号２１４が複数の電装品２３０に結合されるように選択される。
【００３４】
本明細書において、列挙されたアイテムに関して「〜のうちの少なくとも一つ」という表現が使用される場合、列挙されたアイテムの一つ又は複数からなる様々な組み合わせが使用可能であり、且つ列挙されたアイテムのいずれかが一つだけあればよいことを意味する。例えば、「アイテムＡ、アイテムＢ、及びアイテムＣのうちの少なくとも一つ」という表現には、限定しないが、アイテムＡ、又はアイテムＡとＢとの組み合わせが含まれうる。この例は、アイテムＡ、アイテムＢ、及びアイテムＣ、或いはアイテムＢとＣとの組み合わせも含みうる。
【００３５】
このような、複数の電装品２３０への電磁信号２１４の結合は、モーションディテクター２２６が起動されるように行われる。モーションディテクター２２６の起動は、モーションディテクター２２６によって運動２３２が探知されたことを示す起動である。
【００３６】
このような実施例では、モーションディテクター２２６は、受動的モーションディテクター２３４、能動的モーションディテクター２３６、及び／又はこれら二つの組み合わせとすることができる。受動的モーションディテクター２３４は、赤外線センサを使用することができる。能動的モーションディテクター２３６は、能動的モーションディテクター２３６が放射できる超音波信号及び／又はマイクロ波信号を探知するセンサを使用することができる。
【００３７】
図２に示すモーションディテクター環境２００は、種々の有利な実施形態を実施しうる方式を、物理的又はアーキテクチャ的に制限するものではない。図示の構成部品に加えて及び／又は図示の構成部品に換えて、他の構成部品を使用することができる。幾つかの構成部品は複数の有利な実施形態において不要でありうる。また、ブロックは、何らかの機能的構成部品を示すために提示されている。これらブロックのうちの一つ又は複数は、種々の有利な実施形態において実施されるとき、組み合わせること、及び／又は複数のブロックに分割することができる。
【００３８】
例えば、幾つかの有利な実施形態では、送信機システム２１０は、二つのビームの形態で電磁信号２１４を送信することができる。例えば、電磁信号２１４は、ビーム２１６とビーム２４４とを形成することができる。ビーム２１６とビーム２４４とは、領域２２４内の異なる位置に向けられる。
【００３９】
また別の有利な実施形態では、ビーム２１６とビーム２４４とは領域２４４内の一つの位置で重なり合ってもよい。また別の有利な実施形態では、ビーム２１６とビーム２４４とは異なる周波数を有することができる。差周波は、ビーム２１６とビーム２４４との間の差異である。差周波は、このような実施例において、電磁信号２１４を複数の電装品２３０と結合させるように選択された周波数とすることができる。
【００４０】
また別の実施例では、起動システム２０８はプラットフォーム４２４も含むことができる。プラットフォーム２４２は、送信機システム２１０の起動システム２０８に関連付けることができる。例えば、限定しないが、プラットフォーム２４２は、移動プラットフォーム、固定プラットフォーム、車両、トラック、ヘリコプター、航空機、可搬ハウジング、建造物、又は他の何らかの適切な種類のプラットフォームとすることができる。
【００４１】
図３は、有利な一実施形態による起動システムを示している。このような実施例では、起動システム３００は、図２の起動システム２０８の一実施例である。図示のように、起動システム３００は、プラットフォーム３０２、送信機システム３０４、及びコントローラ３０６を含む。送信機システム３０４及びコントローラ３０６は、プラットフォーム３０２に関連付けられている。
【００４２】
第１の構成部品は、第２の構成部品に固定されること、第２の構成部品に結合されること、第２の構成部品に締め付けられること、及び／又は他の何らかの方法で第２の構成部品に接続されることにより、第２の構成部品に関連付けられていると考慮される。第１の構成部品は、第３の構成部品を使用することにより第２の構成部品に接続することもできる。第１の構成部品は、第２の構成部品の一部及び／又は延長部として形成されることにより、第２の構成部品に関連付けられていると考慮することもできる。
【００４３】
本実施例では、送信機システム３０４は、信号生成器３０８、増幅器３１０、及びアンテナシステム３１２を含む。信号生成器３０８は、増幅器３１０によってアンテナシステム３１２に接続される。信号生成器３０８は電磁信号３１４を生成する。増幅器３１０は電磁信号３１４を増幅する。次いで、電磁信号３１４はアンテナシステム３１２へ送信され、アンテナシステム３１２は電磁信号３１４をビーム３１６として送信する。
【００４４】
このような実施例では、信号生成器３０８は、複数の異なる構成部品を使用して実施することができる。例えば、限定しないが、信号生成器３０８は、シンセサイザ３１７とミキサ３１８とを使用して実施することができる。
【００４５】
このような実施例では、コントローラ３０６は、複数の異なるデバイスを使用して実施することができる。例えば、コントローラ３０６は、プロセッサユニット、専用集積回路、又はその他何らかの適切なデバイスのうちの少なくとも一つを含むことができる。プロセッサユニットは、一つ又は複数のマイクロプロセッサを有することができる。例えば、プロセッサユニットは、多心プロセッサ、又はその他何らかの適切な種類の処理システムとすることができる。
【００４６】
このような実施例では、コントローラ３０６は、送信機システム３０４を制御することにより、電磁信号３１４の周波数３１９及びパワーレベル３２１のうちの少なくとも一つを制御する。言うまでもなく、コントローラ３０６は、電磁信号３１４の他の特徴を制御することもできる。例えば、電磁信号３１４の位相も制御されうる。
【００４７】
このような実施例では、信号生成器３０８は、約７５ＧＨｚ〜約１１０ＧＨｚの周波数３１９を有する電磁信号３１４を生成する。この種の信号生成器は、ＷバンドＲＦ信号生成器とも呼ばれる。
【００４８】
このような実施例では、アンテナシステム３１２は、ガウス光アンテナ３１３を使用して実施することができる。この種のアンテナは、ほぼ平行なビーム３１６の形態で電磁信号３１４を送信する。即ち、このような実施例において、ビーム３１６は略平行ビームである。
【００４９】
このような実施例では、ビーム３１６がモーションディテクター３２０に遭遇すると、モーションディテクター３２０が起動される。このような実施例では、モーションディテクター３２０は複数の電装品３２２を含む。複数の電装品３２２は、限定しないが、例えば、電線３２４、チップ３２６、プリント基板トレース３２８、及びその他適切な種類の構成部品のうちの少なくとも一つを含む。
【００５０】
本実施例では、複数の電装品３２２の電圧３３０は、モーションディテクター３２０が起動されるように変更することができる。即ち、電圧３３０及びモーションディテクター３２０は、運動によってモーションディテクター３２０が起動されるのと同じ方式でモーションディテクター３２０が起動されるように、モーションディテクター３２０を複数の電装品３２２内で変更することができる。
【００５１】
更に、ビーム３１６形態の電磁信号３１４は、ハウジング３２３の内部を伝播することもできる。例えば、電磁信号３１４は、ハウジング３２３を形成する材料を通過することができる。別の実施例では、電磁信号３１４は、孔、裂け目、継ぎ目、又はハウジング３２３のその他の開口を通過することができる。このような実施例では、電磁信号３１４は、ハウジング３２３の内部を伝播するときに生じうるパワーの散逸を考慮するパワーレベルを有することができるので、電磁信号３１４は、モーションディテクター３２０を起動させるように複数の電装品３２２を結合することができる。
【００５２】
コンパレータが運動の存在を示すように、コンパレータ内に入る電圧をビーム３１６によって変化させることができる。言うまでもなく、他のモーションディテクターの他の構成では、ビーム３１６は、モーションディテクター３２０内に存在する電圧及び／又は電流の電気的性質を変化させることができる。
【００５３】
このような実施例では、モーションディテクター３２０の起動により、デバイス３３２の作動３３０に変化が生じる。デバイス３３２は、モーションディテクター３２０に接続される。このような実施例では、デバイス３３２は、モーションディテクター３２０と同じ位置か、又は遠隔位置に配置することができる。
【００５４】
このような実施例では、プラットフォーム３０２は、複数の異なる形態を採りうる。例えば、プラットフォーム３０２は、移動プラットフォーム、固定プラットフォーム、車両、トラック、ヘリコプター、航空機、可搬ハウジング、建造物、又はその他何らかの適切な種類のプラットフォームとすることができる。
【００５５】
例えば、チップ３２６は、モーションディテクター３２０に使用されるコンパレータ及びモーションセンサを含むことができる。例えば、第１のモーションセンサは、モーションディテクター３２０のために、一つの視野内の運動を探知することができ、第２のモーションディテクターは、第２の視野内の運動を検知することができる。二つの視野の間の光又は熱の差は、コンパレータに送られる電圧に差を生じさせることができる。このような差は、運動の存在を示すことができる。
【００５６】
図３に示す起動システム３００は、種々の有利な実施形態を実施しうる方式を、物理的又はアーキテクチャ的に制限するものではない。図示の構成部品に加えて及び／又は図示の構成部品に換えて、他の構成部品を使用することができる。幾つかの構成部品は複数の有利な実施形態において不要でありうる。また、ブロックは、何らかの機能的構成部品を示すために提示されている。これらブロックのうちの一つ又は複数は、種々の有利な実施形態において実施されるとき、組み合わせること、及び／又は複数のブロックに分割することができる。
【００５７】
例えば、幾つかの有利な実施形態では、アンテナシステム３１２は、ガウス光アンテナ３１３とは異なる種類のアンテナを含むことができる。加えて、特定の用途によっては、追加のビームを送信するために複数の追加的アンテナが存在してもよい。更に、幾つかの実施例では、増幅器３１０は、信号生成器３０８の一部として実施することができる。
【００５８】
図４は、有利な一実施形態による、モーションディテクターを起動する方法のフロー図である。図４に示す方法は、図２のモーションディテクター環境２００において実施することができる。特に、本方法は、図１の起動システム１１２を使用して実施することができる。
【００５９】
本方法は、電磁信号を生成することにより開始される（工程４００）。電磁信号は、図１の起動システム１１２を使用して生成される。次いで、電磁信号はビームの形態で送信される（工程４０２）。このビームは、モーションディテクターに遭遇すると、当該モーションディテクターを起動する。
【００６０】
このビームをモーションディテクターが存在する位置に向けることにより、当該モーションディテクターを起動させることができ（工程４０４）、その後本方法は終了する。ビームの方向の変更は、起動システムのアンテナシステム、プラットフォーム、又はその他物理的構成部品を物理的に移動することにより実行することができる。他の実施例では、ビームの方向の変更は、電子式ステアリング装置によって実行することができる。
【００６１】
工程４０４は、複数の異なる位置について繰返すことができる。これらの位置は、既知のモーションディテクター、又は目に見えるモーションディテクターを有することができる。幾つかの実施例では、これらの位置は、モーションディテクターを有しても、有しなくてもよい。このような状況では、ビームを使用してモーションディテクターを起動することにより、それらの存在を特定することができる。モーションディテクターの存在は、作動を開始しているモーションディテクター、作動を終了しているモーションディテクター、又はデバイスの作動方式を変更しているモーションディテクターに接続されたデバイスによって特定することができる。
【００６２】
図示された種々の実施形態におけるフロー図及びブロック図は、種々の有利な実施形態の装置及び方法に可能な幾つかの実施態様のアーキテクチャ、機能性、及び作動を示している。これに関し、フロー図及びブロック図の各ブロックは、一つの作動又は一つのステップのモジュール、セグメント、機能、及び／又は部分を表わしている。幾つかの別の実施態様では、ブロックに示した一つ又は複数の機能は、図示の順序とは異なる順序で発生させることができる。例えば、場合によっては、連続する二つのブロックがほぼ同時に実行されてもよく、又は、機能性によっては、これらのブロックが逆の順番で実行されることがある。また、フロー図又はブロック図において示されるブロックに加えて、他のブロックを加えることができる。
【００６３】
このように、種々の有利な実施形態により、モーションディテクターを起動するための方法及び装置が提供される。幾つかの例示的な実施形態では、装置は、送信機システムとコントローラとを備えている。送信機システムは、ビームの形態で電磁信号を送信する。コントローラは、ビームがモーションディテクターに遭遇すると当該モーションディテクターが起動されるように、送信機システムにビームを送信させる。
【００６４】
このようにして、モーションディテクターは、試験及び発見の動作中に起動可能である。例えば、モーションディテクターを試験することにより、それらモーションディテクターが所望の条件下で起動するかどうかを決定することができる。加えて、モーションディテクターを起動することにより、当該モーションディテクターの位置を特定することができる。モーションディテクターの起動により、当該モーションディテクターに接続されたデバイスが作動される。このような作動を使用して、ビームを向けた位置にモーションディテクターが存在することを示すことができる。
【００６５】
種々の有利な実施形態の一つ又は複数により、モーションディテクターの試験及び位置決定を更に容易に実行することができる。例えば、オペレータは、各モーションディテクターまで移動する必要なく、一箇所から複数の位置にビームを向けることにより、モーションディテクターを起動することができる。更に、モーションディテクターは、オペレータが到達することが困難でありうる位置で起動させることができる。
【００６６】
種々の有利な実施形態の記述は、例示及び説明を目的として提供されたのであり、完全なものでも、実施形態を開示された形態に限定するものでもない。当業者には、多数の修正及び変形例が明らかであろう。
【００６７】
更に、種々の有利な実施形態により、他の有利な実施形態と比較して異なる利点が提供される。ここに選択された一つ又は複数の実施形態は、本発明の実施形態の原理、実際の用途を最もよく説明するため、及び他の当業者が、考慮される特定の用途に合わせて様々に修正可能な種々の実施形態の開示内容を理解できるように、選ばれ、記載されている。
【図１】
2011252901.tif 000002
【図２】
2011252901.tif 000003
【図３】
2011252901.tif 000004
【図４】
2011252901.tif 000005
【外国語明細書】
2011252901000001.pdf
2011252901000002.pdf
2011252901000003.pdf
2011252901000004.pdf